(57)【要約】      （修正有）【課題】リムに嵌ったレンズに無理な応力が集中しないようにしたメガネフレーム、及びリムとレンズとの間に介在するクッション材を提供する。【解決手段】クッション材はその断面を概略十字状として中片１３の上方に上片１４を突出すると共に下方には下片１５を突出し、リム２には細いスリット溝を長手方向に設け、そしてレンズ８外周には凹溝１６を形成し、クッション材の上片１４をリム２に設けたスリット溝に嵌め、下片１５をレンズ８外周に形成した凹溝１６に嵌入し、中片１３をリム内周とレンズ外周の間に介在する。【選択図】図４
2015222352.tif 000002
【特許請求の範囲】
【請求項１】
フロントフレームのリムにクッション材を介在してレンズを嵌めたメガネフレームにおいて、該クッション材はその断面を概略十字状として中片の上方に上片を突出すると共に下方には下片を突出し、上記リムには細いスリット溝を長手方向に設け、そしてレンズ外周には凹溝を形成し、上記クッション材の上片をリムに設けたスリット溝に嵌め、下片をレンズ外周に形成した凹溝に嵌入し、中片をリム内周とレンズ外周の間に介在したことを特徴とするメガネフレーム。
【請求項２】
上記リムをハーフリムとし、該ハーフリムに嵌ったレンズをハーフリムの両端に連結した水糸などの高張力糸にて保持した請求項１記載のメガネフレーム。
【請求項３】
連結部を中心として両上リム部を設け、また別の連結部の両側に内リム部を形成した概略門形部材を有し、上記別の連結部を上リム部を形成している連結部の下側に固定することで、上リム部と内リム部にてハーフリムを構成し、上リム部外側に設けた止着部と内リム部先端に形成した止着部に高張力糸を連結した請求項２記載のメガネフレーム。
【請求項４】
フロントフレームのリムにレンズを嵌める場合に、レンズ外周に作用する応力を緩和する為にリムとの間に介在するクッション材において、該クッション材は概略十字状断面として中片と該中片の上方に上片を突出すると共に下方には下片を突出した形状とし、上片はリムに設けたスリット溝に嵌め、下片はレンズ外周に形成した凹溝に嵌入し、そして中片はリム内周とレンズ外周の間に介在することを特徴とするクッション材。
【発明の詳細な説明】
【技術分野】
【０００１】
本発明はリムに嵌ったレンズに無理な応力が集中しないようにしたメガネフレーム、及びリムとレンズとの間に介在するクッション材に関するものである。
【背景技術】
【０００２】
メガネフレームのリムはレンズを保持するための部材であり、図５に示すように、フロントフレーム（イ） にはリム（ロ）、（ロ） が連結部材（ハ） を中心として左右対称に設けられ、該リム（ロ）、（ロ）の外側 にロウ付けしたヨロイ（ニ）から蝶番（ホ） を介してツル（ヘ）を開閉自在に連結している。またリム（ロ）、（ロ）には上記連結部材（ハ） の下方に鼻当てパット（ト）、（ト）が取着されている。
【０００３】
上記図５に示すメガネフレームはシンプルな基本形態であって、実際のメガネフレームはそのデザインが色々と工夫されたものとなっているが、該リム（ロ）の断面は図６にその拡大図を示すように、凹溝（チ） を全周にわたって形成し、該凹溝（チ） にレンズ（リ） 外周に形成した凸部（ヌ） が嵌合することで、該レンズ（リ）はリム（ロ） に止着されることになる。
【０００４】
図７もリム（ロ） の断面拡大図を示した他の従来例である。この場合には、レンズ（リ） の外周に凹溝（ル） を形成し、リム（ロ）の内周には凸部（オ） を設けた構造とし、該凹溝（ル） に凸部（オ） が嵌着してレンズ（リ） が止着される。このようなリム断面形状とすることで、外部に露出するリム（ロ）の表面積、特に前面（正面）から見るリム（ロ） の太さは細くなり、メガネフレームのデザインとしては好ましい形状となる。したがって、この種のリムは通称ハーフリムと称して、レンズの上側半分にのみ用いて下側には水糸等の高張力糸にて該レンズを保持した構造のメガネに使用されることが多い。
【０００５】
ところが、リム断面をこのような形状とした場合、デザイン上は良好となるが、レンズ（リ）の凹溝（ル）開放先端の角部（ワ）にはクラックが発生する。これはリム（ロ）の反り具合とレンズ（リ）の湾曲が一致しないため、またメガネを着用する際にツル（ヘ）、（ヘ）から伝わる開閉力がフロントフレーム（イ）のリム（ロ）を曲げ、上記角部（ワ）に集中応力が作用することに起因する。そこで、この角部（ワ）が接触しない断面形状としたリムは知られている（実開平６−２３０２４号）。
【０００６】
一方、ハーフリムと称する該リムには上記図７に示したような凸部（オ）を形成した断面ではなく、図８に示すようにリム内周面に凹溝（カ）を形成して該凹溝（カ）に断面Ｔ形のクッション材（ヨ）の一部を嵌入し、残りの一部をレンズ外周に形成した凹溝（タ）に嵌め込んで該レンズ（リ）を止着した構造のものも知られている。該クッション材（ヨ）はナイロンやその他柔らかい樹脂が使用されている為に、レンズの角部が欠けたりすることはない。
【０００７】
しかし、該クッション材（ヨ）をリム内周に設けた凹溝（カ）に嵌めるだけでなく接着剤にて接着しなくてはならない。そのために、リム（ロ）にレンズ（リ）を嵌める作業は面倒である。
【特許文献１】実開平６−２３０２４号に係る「メガネフレームのリム」
【発明の開示】
【発明が解決しようとする課題】
【０００８】
このようにレンズが嵌るメガネフレームのリムには上記のごとき問題がある。本発明が解決しようとする課題はこの問題点であって、リムに嵌るレンズに無理な集中応力が作用して欠けたり割れたりすることのないメガネフレームを提供する。また、リム内周とレンズ外周の介在するクッション材を提供する。
【課題を解決するための手段】
【０００９】
本発明のメガネフレームは、レンズの全周を拘束するリング状のフルリム有す場合、及びレンズの上側半分又は下側半分を拘束すると共に、他の半分は水糸などの高張力糸にて保持するタイプのハーフリムを備えた場合を対象とする。
ところで、本発明はレンズが嵌るリムにはクッション材を介在してレンズが金属製のリムと直接接しない構造としている。
【００１０】
リムとレンズの間にクッション材を介在する点は前記図８にも示すように公知の技術である。しかし、本発明のクッション材はその断面を十字状とし、中片と該中片の上方へは上片が下方には下片が突出した形状とした長尺材が用いられる。
そこで、レンズ外周には凹溝が形成され、リムには内周から外周に貫通した細いスリット溝が沿設している。クッション材の上片はリムのスリット溝に嵌り、下片はレンズ外周に形成した凹溝に嵌入する。そして、中片はリム内周とレンズ外周の間に介在する。
【発明の効果】
【００１１】
本発明のメガネフレームはリムとレンズの間にクッション材が介在している。したがって、レンズ外周は金属製のリムに直接接しない構造と成っているために、レンズ外周が高い集中応力の作用で欠けたり、又はレンズが割れたりすることはない。そして、クッション材はその断面を概略十字状とし、中片から上方へ突出する上片はリムに貫通したスリット溝に嵌入することで位置ズレすることなく該リムに止着される。すなわち、接着剤を塗布してクッション材をリムに固定する必要はない。
【００１２】
そして、中片から下方へ突出する下片はレンズ外周の凹溝に嵌ることで、レンズはクッション材を介してリムから外れることなく嵌ることが出来る。また、中片はリム内周とレンズ外周の間に介在することで、レンズがリムに接することはない。中片の幅寸法をレンズ厚さと同じか又は大きくするならば、レンズ外周全面がクッション材に接するために作用する応力を低く抑えることが出来る。
【図面の簡単な説明】
【００１３】
【図１】本発明に係るメガネフレームのフロント部を示す実施例。
【図２】（ａ）はクッション材、（ｂ）はクッション材をレンズ外周に取付けた場合。
【図３】クッション材の断面拡大図。
【図４】図１のＡ−Ａ断面拡大図。
【図５】一般的なメガネフレームを示す具体例。
【図６】リムにレンズが嵌っている断面拡大図。
【図７】リムにレンズが嵌っている断面拡大図。
【図８】リムにクッション材を介在してレンズが嵌っている断面拡大図。
【発明を実施するための形態】
【００１４】
図１は本発明に係るメガネフレームのフロント部１を示す実施例である。同図のフロントフレームは両上リム部２，２が連結部３を中心として左右対称に形成され、両側にはヨロイ部４，４を有している。そして、これら両上リム部２，２、連結部３、及びヨロイ部４，４は連続した１本の線材を用いて曲げ成形されている。そして、内リム部５，５が連結部６を中心として形成された概略門形部材の該連結部６が上記連結部３の下側にロウ付けされている。又はネジ止めされる場合もある。
【００１５】
上リム部２，２には細いスリット溝７，７が長手方向に形成され、同じく内リム部５，５にもスリット溝を設けている。ところで、上記フロントフレームにレンズ８，８が拘束されて取付けられるが、レンズ８は上リム部２と内リム部５に約半周が拘束され、残りの半周は水糸にて保持されている。上リム部２，２の外側端部には止着部９，９を有し、内リム部５，５の先端にも止着部１０，１０を設けている。
【００１６】
該止着部９には２個の小さい止着穴１１，１１を貫通して設け、この止着穴１１，１１に水糸の先端を挿通して止着し、同じく内リム部５の先端止着部１０に設けた２個の止着穴に水糸の他端が止着されてレンズ８を保持することが出来る。レンズ８の外周には細い凹溝１６が形成され、この凹溝１６に水糸が嵌っている。
【００１７】
ところで、上記上リム部２とレンズ８との間にはクッション材１２が介在し、レンズ外周が金属製の上リム部２に直接接しない構造としている。同じく、内リム部５とレンズ８との間にもクッション材１２を介在している。図２（ａ）はクッション材１２を表し、図２（ｂ）は該クッション材１２をレンズ外周に取付けた場合を示している。
【００１８】
同図に示すレンズ８は図１に示すフロント部１における右側のレンズ８を表しており、上リム部２から内リム部５の領域にクッション材１２が取付けられている。図１においてレンズ８の外周と上リム部２及び内リム部５との間に僅かな隙間が設けられ、この隙間に上記クッション材１２が介在している。ただし、上リム部２の外側部に設けている止着部９及び内リム部５の先端に設けている止着部１０とレンズ外周との間にはクッション材１２は介在しておらず、この部位はレンズ外周に接している。
【００１９】
図３は上記クッション材１２の断面拡大図を示している。クッション材１２は概略十字状断面を有し、中片１３と中片１３から上方へ突出する上片１４、及び中片１３から下方へ突出する下片１５を有している。
図４は図１のＡ−Ａ断面拡大図を示している。同図に示すように中片１３はレンズ外周と上リム部２の内周との間に位置し、上片１４は上リム部２に設けているスリット溝７に嵌り、また、下片１５はレンズ８の外周に形成した凹溝１６に嵌入している。
【００２０】
上片１４が上リム部２のスリット溝７に嵌ることでクッション材１２は接着剤を使用しないでも安定して取付けられ、そして下片１５がレンズ外周の凹溝１６に嵌入することで、レンズ８はクッション材１２を介して上リム部２に安定して取付けられる。
また、上リム部２とレンズ外周の間には中片１３が介在することで、金属製上リム部２に接することはなくレンズ外周が欠けることはない。勿論、クッション材１２の介在によってレンズ８が割れることもない。同図に示すように、中片１３の幅寸法がレンズ８の厚さより大きくすることで、レンズ外周に作用する応力を低く抑えることが出来る。
【００２１】
前記図１に示したフロント部１を構成する上リム部２，２の外側端の形成したヨロイ部４，４の先端には軸穴１７，１７を設けている。そして、該軸穴１７，１７に軸を嵌めて、該ツルは折畳み出来るように取付けられる。
ところで、本発明に係るメガネフレームのフロント部形態は図１に示すようなハーフリムに限定せず、レンズの全周を拘束することが出来るフルリムを備えたフロント部形態とすることも出来る。
【００２２】
ただし、フルリムの場合、全周にスリット溝を形成することは出来ないために、所々にスリット溝を切断する。したがって、クッション材１２の上片を連続することなく、スリット溝の無い部位には上片を切り取った形状としている。ただし、中片及び下片は全長にわたって形成している。
【符号の説明】
【００２３】
１   フロント部
２   上リム部
３   連結部
４   ヨロイ部
５   内リム部
６   連結部
７   スリット溝
８   レンズ
９   止着部
10   止着部
11   止着穴
12   クッション材
13   中片
14   上片
15   下片
16   凹溝
17   軸穴
【図１】
2015222352.tif 000003
【図２】
2015222352.tif 000004
【図３】
2015222352.tif 000005
【図４】
2015222352.tif 000006
【図５】
2015222352.tif 000007
【図６】
2015222352.tif 000008
【図７】
2015222352.tif 000009
【図８】
2015222352.tif 000010